(57)【要約】【課題】宇宙の形はどのようであるか。【解決手段】私は、2013年2月15日、特願2013−027190「宇宙の形」を提出した。これを再考する。宇宙の中心のブラックホールはまっすぐ進むので、これを直線上に据える。宇宙の中心のブラックホールが進んだ点にできる宇宙の大きさを示す。宇宙の大きさは進むにつれて大きくなる。宇宙の中心のブラックホールが進む距離と、そこにできる宇宙の大きさを9.46×1026：１、の縮図で示す。【選択図】図１
2014158382.tif 000002
【特許請求の範囲】
【請求項１】
各々の時代の宇宙の速度はいくらか。
半径＝4.827×1027JKm÷速度2
速度2＝4.827×1027JKm÷半径
10−20m時代で、半径5×103光年の場合。
速度2＝4.827×1027JKm÷(5×103×9.46×1012Km)＝1.021×1011J
速度＝(1.021×1011)1/2=3.195×105Km
10−19m時代で、半径5×104光年の場合。
速度2＝4.827×1027JKm÷(5×104×9.46×1012Km)＝1.021×1010J
速度＝(1.021×1010)1/2=1.010×105Km
10−18m時代で、半径5×105光年の場合。
速度2＝4.827×1027JKm÷(5×105×9.46×1012Km)＝1.021×109J
速度＝(1.021×109)1/2=3.195×104Km
10−17m時代で、半径5×106光年の場合。
速度2＝4.827×1027JKm÷(5×106×9.46×1012Km)＝1.021×108J
速度＝(1.021×108)1/2=1.010×104Km
10−16m時代で、半径1.25×107光年の場合。
速度2＝4.827×1027JKm÷(1.25×107×9.46×1012Km)＝4.082×107J
速度＝(4.082×107)1/2=6.389×103Km
10−16m時代で、半径2.5×107光年の場合。
速度2＝4.827×1027JKm÷(2.5×107×9.46×1012Km)＝2.041×107J
速度＝(2.041×107)1/2=4.518×103Km
10−16m時代で、半径5×107光年の場合。
速度2＝4.827×1027JKm÷(5×107×9.46×1012Km)＝1.021×107J
速度＝(1.021×107)1/2=3.195×103Km
10−15m時代で、半径1.25×108光年の場合。
速度2＝4.827×1027JKm÷(1.25×108×9.46×1012Km)＝4.082×106J
速度＝(4.082×106)1/2=2.020×103Km
10−15m時代で、半径2.5×108光年の場合。
速度2＝4.827×1027JKm÷(2.5×108×9.46×1012Km)＝2.041×106J
速度＝(2.041×106)1/2=1.429×103Km
10−15m時代で、半径5×108光年の場合。
速度2＝4.827×1027JKm÷(5×108×9.46×1012Km)＝1.021×106J
速度＝(1.021×106)1/2=1.010×103Km
10−14m時代で、半径1.25×109光年の場合。
速度2＝4.827×1027JKm÷(1.25×109×9.46×1012Km)＝4.082×105J
速度＝(4.082×105)1/2=6.389×102Km
10−14m時代で、半径2.5×109光年の場合。
速度2＝4.827×1027JKm÷(2.5×109×9.46×1012Km)＝2.041×105J
速度＝(2.041×105)1/2=4.518×102Km
10−14m時代で、半径5×109光年の場合。
速度2＝4.827×1027JKm÷(5×109×9.46×1012Km)＝1.021×105J
速度＝(1.021×105)1/2=3.195×102Km
【請求項２】
各時代の外側の軌道は何回転したか。
回転数＝回転した距離÷円周＝回転した秒数×秒速÷(2π×軌道半径)
10−14m時代で半径5×109光年の回転数。
回転した秒数×秒速÷(2π×軌道半径)＝137×108年×365×24×60×60秒×3.195×102Km/秒÷(2π×5×109×9.46×1012Km)＝137×108×3.154×107秒×3.195×102Km/秒÷(2π×5×109×9.46×1012Km)＝1.379×1020Km÷(2.970×1023Km)＝4.643×10−4回
10−15m時代で半径5×108光年の回転数。
回転した秒数×秒速÷(2π×軌道半径)＝109年×3.154×107秒×1.010×103Km/秒÷(2π×5×108×9.46×1012Km)＝3.186×1019Km÷(2.970×1022Km)＝1.073×10−3回
10−16m時代で半径5×107光年の回転数。
回転した秒数×秒速÷(2π×軌道半径)＝108年×3.154×107秒×3.195×103Km/秒÷(2π×5×107×9.46×1012Km)＝1.008×1019Km÷(2.970×1021Km)＝3.394×10−3回
10−17m時代で半径5×106光年の回転数。
回転した秒数×秒速÷(2π×軌道半径)＝107年×3.154×107秒×1.010×104Km/秒÷(2π×5×106×9.46×1012Km)＝3.186×1018Km÷(2.970×1020Km)＝1.073×10−2回
10−18m時代で半径5×105光年の回転数。
回転した秒数×秒速÷(2π×軌道半径)＝106年×3.154×107秒×3.195×104Km/秒÷(2π×5×105×9.46×1012Km)＝1.008×1018Km÷(2.970×1019Km)＝3.394×10−2回
10−19m時代で半径5×104光年の回転数。
回転した秒数×秒速÷(2π×軌道半径)＝105年×3.154×107秒×1.010×105Km/秒÷(2π×5×104×9.46×1012Km)＝3.186×101７Km÷(2.970×1018Km)＝1.073×10−1回
10−20m時代で半径5×103光年の回転数。
回転した秒数×秒速÷(2π×軌道半径)＝104年×3.154×107秒×3.195×105Km/秒÷(2π×5×103×9.46×1012Km)＝1.008×1017Km÷(2.970×1017Km)＝3.394×10−1回
まとめて表に示す。
表２
2014158382.tif 000004
【請求項３】
回転数が少ないことによって何が解るか。
回転数が少ないことによって、宇宙は扁平になっていないことが理解できる。
【請求項４】
宇宙の形はどのようであるか。
宇宙の中心のブラックホールが回転しながらまっすぐ進んだ場合、宇宙の球体は膨張しながら進む。
進む距離は進む時間に比例するとする。
特願2013−027190の「請求項１３」のように考える。
時間の比は、10−14m時代：10−15m時代：10―16m時代：10−17m時代：10−18m時代：10−19m時代：10−20m時代＝1010年：109年：108年：107年：106年：105年：104年
それで、1010年を10cmとしますと、10 cm：1 cm：１mm：10−1 mm：10−2 mm：10−3 mm：10−4 mm、です。
空間の比は、10−14m時代：10−15m時代：10―16m時代：10−17m時代：10−18m時代：10−19m時代：10−20m時代＝1010光年：109光年：108光年：107光年：106光年：105光年：104光年、です。
それで、1010光年を10 cmとしますと、10 cm：１cm：１mm：10−1 mm：10−2 mm：10−3 mm：10−4 mm、です。
中心のブラックホールが進んだ距離を直線とする。
10−17m時代の宇宙、10−18m時代の宇宙、10−19m時代の宇宙、10−20m時代の宇宙をまとめて示す。
10−17m時代の宇宙、10−18m時代の宇宙、10−19m時代の宇宙、10−20m時代の宇宙ができる。
10−17m時代の宇宙、10−18m時代の宇宙、10−19m時代の宇宙、10−20m時代の宇宙は、0.05555mm進み直径0.1111mmの宇宙になる。
10―16m時代の宇宙ができる。
それから、10―16m時代の宇宙は0.51mm進み、直径1mmの宇宙になる。
10―15m時代の宇宙ができる。
それから、10−15m時代の宇宙は、0.5cm進み、直径1cmの宇宙になる。
1014m時代の宇宙ができる。
まず1.25×109光年の宇宙ができる。
1.25cm進んで、半径1.25cmの宇宙ができる。
2.5×109光年の宇宙ができる。
それから、2.5cm進み、半径2.5cmの宇宙ができる。
5×109光年の宇宙ができる。
それから、5cm進み、半径5cmの宇宙ができる。
これを図示する。
これは、1010光年：10cm＝1010×9.46×1012×103×102：10＝9.46×1026：１、の縮図です。
【発明の詳細な説明】
【技術分野】
【０００１】
本発明は、宇宙の形に関するものである。
【背景技術】
【０００２】
私は、2013年2月15日に、特願2013−027190「宇宙の形」を提出した。
【先行技術文献】
【特許文献】
【０００３】
【特許文献１】特願2013−027190
【発明の概要】
【発明が解決しようとする課題】
【０００４】
宇宙の形はどのようであるか。
【課題を解決するための手段】
【０００５】
私が考えた特願2013−027190「宇宙の形」を基にこれを再考する。
【発明の効果】
【０００６】
1．各時代の回転速度と回転数を理解できた。
2．宇宙の進んできた形を理解できた。
【図面の簡単な説明】
【０００７】
【図１】図１は宇宙の側面図ただし、宇宙が出来ていく状態をしめす。時間の比は、10−14m時代：10−15m時代：10―16m時代：10−17m時代：10−18m時代：10−19m時代：10−20m時代＝1010年：109年：108年：107年：106年：105年：104年それで、1010年を10cmとしますと、10 cm：1 cm：１mm：10−1 mm：10−2 mm：10−3 mm：10−4 mm、です。空間の比は、10−14m時代：10−15m時代：10―16m時代：10−17m時代：10−18m時代：10−19m時代：10−20m時代＝1010光年：109光年：108光年：107光年：106光年：105光年：104光年、です。それで、1010光年を10 cmとしますと、10 cm：１cm：１mm：10−1 mm：10−2 mm：10−3 mm：10−4 mm、です。中心のブラックホールが進んだ距離を直線とする。10−17m時代の宇宙、10−18m時代の宇宙、10−19m時代の宇宙、10−20m時代の宇宙をまとめて示す。10−17m時代の宇宙、10−18m時代の宇宙、10−19m時代の宇宙、10−20m時代の宇宙ができる。10−17m時代の宇宙、10−18m時代の宇宙、10−19m時代の宇宙、10−20m時代の宇宙は、0.05555mm進み、直径0.1111mmの宇宙になる。10―16m時代の宇宙ができる。それから、10―16m時代の宇宙は、0.5mm進み、直径1mmの宇宙になる。10―15m時代の宇宙ができる。それから、10−15m時代の宇宙は、0.5cm進み、直径1cmの宇宙になる。10−14m時代の宇宙ができる。まず1.25×109光年の宇宙ができる。1.25cm進んで、半径1.25cmの宇宙ができる。2.5×109光年の宇宙ができる。それから、2.5cm進み、半径2.5cmの宇宙ができる。5×109光年の宇宙ができる。それから、5cm進み、半径5cmの宇宙ができる。これは、1010光年：10cm＝1010×9.46×1012×103×102：10＝9.46×1026：１、の縮図です。
【発明を実施するための形態】
【０００８】
１．    各々の時代の宇宙の速度はいくらか。
半径＝4.827×1027JKm÷速度2
速度2＝4.827×1027JKm÷半径
10−20m時代で、半径5×103光年の場合。
速度2＝4.827×1027JKm÷(5×103×9.46×1012Km)＝1.021×1011J
速度＝(1.021×1011)1/2=3.195×105Km
10−19m時代で、半径5×104光年の場合。
速度2＝4.827×1027JKm÷(5×104×9.46×1012Km)＝1.021×1010J
速度＝(1.021×1010)1/2=1.010×105Km
10−18m時代で、半径5×105光年の場合。
速度2＝4.827×1027JKm÷(5×105×9.46×1012Km)＝1.021×109J
速度＝(1.021×109)1/2=3.195×104Km
10−17m時代で、半径5×106光年の場合。
速度2＝4.827×1027JKm÷(5×106×9.46×1012Km)＝1.021×108J
速度＝(1.021×108)1/2=1.010×104Km
10−16m時代で、半径1.25×107光年の場合。
速度2＝4.827×1027JKm÷(1.25×107×9.46×1012Km)＝4.082×107J
速度＝(4.082×107)1/2=6.389×103Km
10−16m時代で、半径2.5×107光年の場合。
速度2＝4.827×1027JKm÷(2.5×107×9.46×1012Km)＝2.041×107J
速度＝(2.041×107)1/2=4.518×103Km
10−16m時代で、半径5×107光年の場合。
速度2＝4.827×1027JKm÷(5×107×9.46×1012Km)＝1.021×107J
速度＝(1.021×107)1/2=3.195×103Km
10−15m時代で、半径1.25×108光年の場合。
速度2＝4.827×1027JKm÷(1.25×108×9.46×1012Km)＝4.082×106J
速度＝(4.082×106)1/2=2.020×103Km
10−15m時代で、半径2.5×108光年の場合。
速度2＝4.827×1027JKm÷(2.5×108×9.46×1012Km)＝2.041×106J
速度＝(2.041×106)1/2=1.429×103Km
10−15m時代で、半径5×108光年の場合。
速度2＝4.827×1027JKm÷(5×108×9.46×1012Km)＝1.021×106J
速度＝(1.021×106)1/2=1.010×103Km
10−14m時代で、半径1.25×109光年の場合。
速度2＝4.827×1027JKm÷(1.25×109×9.46×1012Km)＝4.082×105J
速度＝(4.082×105)1/2=6.389×102Km
10−14m時代で、半径2.5×109光年の場合。
速度2＝4.827×1027JKm÷(2.5×109×9.46×1012Km)＝2.041×105J
速度＝(2.041×105)1/2=4.518×102Km
10−14m時代で、半径5×109光年の場合。
速度2＝4.827×1027JKm÷(5×109×9.46×1012Km)＝1.021×105J
速度＝(1.021×105)1/2=3.195×102Km
２．    各時代の外側の軌道は何回転したか。
回転数＝回転した距離÷円周＝回転した秒数×秒速÷(2π×軌道半径)
10−14m時代で半径5×109光年の回転数。
回転した秒数×秒速÷(2π×軌道半径)＝137×108年×365×24×60×60秒×3.195×102Km/秒÷(2π×5×109×9.46×1012Km)＝137×108×3.154×107秒×3.195×102Km/秒÷(2π×5×109×9.46×1012Km)＝1.379×1020Km÷(2.970×1023Km)＝4.643×10−4回
10−15m時代で半径5×108光年の回転数。
回転した秒数×秒速÷(2π×軌道半径)＝109年×3.154×107秒×1.010×103Km/秒÷(2π×5×108×9.46×1012Km)＝3.186×1019Km÷(2.970×1022Km)＝1.073×10−3回
10−16m時代で半径5×107光年の回転数。
回転した秒数×秒速÷(2π×軌道半径)＝108年×3.154×107秒×3.195×103Km/秒÷(2π×5×107×9.46×1012Km)＝1.008×1019Km÷(2.970×1021Km)＝3.394×10−3回
10−17m時代で半径5×106光年の回転数。
回転した秒数×秒速÷(2π×軌道半径)＝107年×3.154×107秒×1.010×104Km/秒÷(2π×5×106×9.46×1012Km)＝3.186×1018Km÷(2.970×1020Km)＝1.073×10−2回
10−18m時代で半径5×105光年の回転数。
回転した秒数×秒速÷(2π×軌道半径)＝106年×3.154×107秒×3.195×104Km/秒÷(2π×5×105×9.46×1012Km)＝1.008×1018Km÷(2.970×1019Km)＝3.394×10−2回
10−19m時代で半径5×104光年の回転数。
回転した秒数×秒速÷(2π×軌道半径)＝105年×3.154×107秒×1.010×105Km/秒÷(2π×5×104×9.46×1012Km)＝3.186×101７Km÷(2.970×1018Km)＝1.073×10−1回
10−20m時代で半径5×103光年の回転数。
回転した秒数×秒速÷(2π×軌道半径)＝104年×3.154×107秒×3.195×105Km/秒÷(2π×5×103×9.46×1012Km)＝1.008×1017Km÷(2.970×1017Km)＝3.394×10−1回
まとめて表に示す。
表1
2014158382.tif 000003
３．    回転数が少ないことによって何が解るか。
回転数が少ないことによって、宇宙は扁平になっていないことが理解できる。
４．    宇宙の形はどのようであるか。
宇宙の中心のブラックホールが回転しながらまっすぐ進んだ場合、宇宙の球体は膨張しながら進む。
進む距離は進む時間に比例するとする。
特願2013−027190の「請求項１３」のように考える。
時間の比は、10−14m時代：10−15m時代：10―16m時代：10−17m時代：10−18m時代：10−19m時代：10−20m時代＝1010年：109年：108年：107年：106年：105年：104年
それで、1010年を10cmとしますと、10 cm：1 cm：１mm：10−1 mm：10−2 mm：10−3 mm：10−4 mm、です。
空間の比は、10−14m時代：10−15m時代：10―16m時代：10−17m時代：10−18m時代：10−19m時代：10−20m時代＝1010光年：109光年：108光年：107光年：106光年：105光年：104光年、です。
それで、1010光年を10 cmとしますと、10 cm：１cm：１mm：10−1 mm：10−2 mm：10−3 mm：10−4 mm、です。
中心のブラックホールが進んだ距離を直線とする。
10−17m時代の宇宙、10−18m時代の宇宙、10−19m時代の宇宙、10−20m時代の宇宙をまとめて示す。
10−17m時代の宇宙、10−18m時代の宇宙、10−19m時代の宇宙、10−20m時代の宇宙ができる。
10−17m時代の宇宙、10−18m時代の宇宙、10−19m時代の宇宙、10−20m時代の宇宙は、0.05555mm進み直径0.1111mmの宇宙になる。
10―16m時代の宇宙ができる。
それから、10―16m時代の宇宙は0.51mm進み、直径1mmの宇宙になる。
10―15m時代の宇宙ができる。
それから、10−15m時代の宇宙は、0.5cm進み、直径1cmの宇宙になる。
1014m時代の宇宙ができる。
まず1.25×109光年の宇宙ができる。
1.25cm進んで、半径1.25cmの宇宙ができる。
2.5×109光年の宇宙ができる。
それから、2.5cm進み、半径2.5cmの宇宙ができる。
5×109光年の宇宙ができる。
それから、5cm進み、半径5cmの宇宙ができる。
これを図示する。
これは、1010光年：10cm＝1010×9.46×1012×103×102：10＝9.46×1026：１、の縮図です。
【産業上の利用可能性】
【０００９】
宇宙を知る事は、科学を知る事であり、科学を知る事は、技術の発展に寄与し、技術の発展により産業は発展する。
【符号の説明】
【００１０】
１    時間の比は、10−14m時代：10−15m時代：10―16m時代：10−17m時代：10−18m時代：10−19m時代：10−20m時代＝1010年：109年：108年：107年：106年：105年：104年
それで、1010年を10cmとしますと、10 cm：1 cm：１mm：10−1 mm：10−2 mm：10−3 mm：10−4 mm、です。
２      空間の比は、10−14m時代：10−15m時代：10―16m時代：10−17m時代：10−18m時代：10−19m時代：10−20m時代＝1010光年：109光年：108光年：107光年：106光年：105光年：104光年、です。
それで、1010光年を10 cmとしますと、10 cm：１cm：１mm：10−1 mm：10−2 mm：10−3 mm：10−4 mm、です。
３    宇宙の中心のブラックホールが進んだ距離を直線とする。
４    宇宙の中心のブラックホール
５    10−17m時代の宇宙、10−18m時代の宇宙、10−19m時代の宇宙、10−20m時代の宇宙
６    10−17m時代の宇宙、10−18m時代の宇宙、10−19m時代の宇宙、10−20m時代の宇宙は、0.05555mm進み直径0.1111mmの宇宙になる。
７    10―16m時代の宇宙
８    10―16m時代の宇宙は、0.5mm進み、直径1mmの宇宙になる。
９    10−15m時代の宇宙
１０    10−15m時代の宇宙は、0.5cm進み、直径1cmの宇宙になる。
１１    半径1.25×109光年の宇宙
１２    1.25cm進んで、半径1.25cmの宇宙ができる。
１３    半径2.5×109光年の宇宙
１４    2.5cm進み、半径2.5cmの宇宙ができる。
１５    半径5×109光年の宇宙
１６    5センチ進み、半径5センチの宇宙ができる。
１７    宇宙が進んでできた形
この図は、1010光年：10cm＝1010×9.46×1012×103×102：10＝9.46×1026：１、の縮図です。
【図１】
2014158382.tif 000005